(57)【要約】【課題】延長天板の掛け渡し作業及びその撤去作業が簡単容易に行えるための作業台を提供する。【解決手段】作業台１の天板２の妻側端部に梯子状の脚体４を備えた作業台において、天板２の桁側端部の上面及び側面並びに天板２の妻側端部の上面及び側面には延長天板３を取り付けるための取付孔８を予め複数設けてなる。【選択図】図１
2011084943.tif 000002
【特許請求の範囲】
【請求項１】
天板の妻側端部に梯子状の脚体を備えた作業台において、天板の桁側端部の上面及び側面に、天板の桁側端部に夫々延長天板を取り付けるための取付孔を予め複数設けてなる作業台。
【請求項２】
天板の妻側端部に梯子状の脚体を備えた作業台において、天板の桁側端部の上面及び側面並びに妻側端部の上面及び側面に、天板の桁側端部及び妻側端部に夫々延長天板を取り付けるための取付孔を予め複数設けてなる作業台。
【請求項３】
天板の桁側端部の上面に予め設けられる前記取付孔は桁側幅木を取り付けるための取付孔を兼用してなる請求項１又は２に記載の作業台。
【請求項４】
延長天板の桁側端部の上面及び側面には桁側端部に面する他の延長天板を取り付けるための取付孔を予め設けてなる請求項１〜３の何れかに記載の記載の作業台。
【請求項５】
延長天板の桁側端部の上面に予め設けられる前記取付孔は桁側幅木を取り付けるための取付孔を兼用してなる請求項４に記載の作業台。
【請求項６】
前記延長天板は、複数の作業台の天板の対向する桁側端部間及び又は妻側端部間に掛け渡される天板で、延長天板本体と、延長天板本体の妻側端部に取り付けられた妻側端板とからなり、妻側端板は、延長天板本体の上面と略面一状の水平材を有し、水平材の先端部下面には、天板の桁側端部の上面の前記取付孔、妻側端部の前記取付孔又は他の延長天板の延長天板本体の桁側端部上面に設けた前記取付孔に係入する位置決めピンを下向きに突設し、延長天板本体の妻側端部には、常時はバネによって、ピン先端部が天板の桁側端部の側面に設けた前記取付孔、天板の妻側端部の側面に設けた前記取付孔又は他の延長天板の延長天板本体の桁側端部の側面に設けた前記取付孔に係入するように付勢されるロックピンを設けている請求項１〜５の何れかに記載の作業台。
【請求項７】
前記ロックピンは、延長天板本体に取り付けられたブラケットに、延長天板長手方向にスライド可能に支持される一対の平行なピン本体と、両ピン本体の基端部をつなぐ連結軸部とによってコ字状に形成されていて、常時はバネによって両ピン本体ピン本体の先端部が作業台の天板の前記取付孔又は他の延長天板の前記取付孔に係入するように付勢され、このバネの付勢力に抗して連結軸部を引っ張ることにより両ピン本体の先端部を前記取付孔から抜き出すようにした請求項６に記載の作業台。
【請求項８】
前記桁側幅木は、天板の桁側端部上面又は延長天板の延長天板本体の桁側端部上面に起立姿勢に載置される幅木本体と、幅木本体の外面側に垂直姿勢と下部を外側へ突き出す傾斜姿勢との間で揺動可能に枢着され、バネによって垂直姿勢に付勢されるセット金具と、幅木本体の下面から下方へ突出し、天板の桁側端部上面又は延長天板本体の桁側端部上面の取付孔に挿入されるようになっている直立用ピンとからなる請求項２〜７の何れかに記載の作業台。
【発明の詳細な説明】
【技術分野】
【０００１】
本発明は、建設現場等において天井の内装仕上げや天井内の配線、配管等の作業を行う時に使用される作業台に関する。
【背景技術】
【０００２】
例えば大掛かりな天井の内装仕上げ作業を行うような場合には、複数の作業台を天板の桁側端部どうし及び又は妻側端部どうしが対向するように所定の間隔に配置して、複数の作業台の天板の対向する桁側端部間あるいは妻側端部間に、天板接続用の延長天板を掛け渡すようにすることによって、広い作業面積を得ることができる。この場合、延長天板を架け渡すのに、従来では、延長天板の妻側端部を作業台の天板の桁側端部あるいは妻側端部上に乗せ掛け、延長天板の妻側端部に設けた取付孔と、作業台の天板の全域にわたって設けてあるバーリング加工された滑り止め用の孔（通常、天板の桁側端部及び妻側端部を除いた天板の内側全域に設けてある）とに針金を通すことにより、延長天板の妻側端部を作業台の天板の桁側端部あるいは妻側端部に固定して、延長天板を架け渡している。
【発明の概要】
【発明が解決しようとする課題】
【０００３】
作業台の天板に天板接続用の延長天板を掛け渡すのに、上記のように延長天板の妻側端部に設けた取付孔と作業台の天板の滑り止め用の孔とに針金を通して固定する方法では、延長天板の掛け渡し作業及びその撤去作業に非常に手間がかかるという問題がある。
【０００４】
本発明は、上記の事情に鑑み、延長天板の掛け渡し作業及びその撤去作業が簡単容易に行えるのに加えて、作業台の天板の桁側端部に桁側幅木を簡単に取り付けできるようにした作業台を提供することを目的とする。
【課題を解決するための手段】
【０００５】
上記課題を解決するための手段を、後述する実施形態の参照符号を付して説明すると、請求項１に係る発明は、天板２の妻側端部に梯子状の脚体４を備えた作業台において、天板２の桁側端部の上面及び側面に、天板２の桁側端部に夫々延長天板３を取り付けるための取付孔８、１７を予め複数設けてなることを特徴とする。
【０００６】
請求項２に係る発明は、天板２の妻側端部に梯子状の脚体４を備えた作業台において、天板２の桁側端部の上面及び側面並びに妻側端部の上面及び側面に、天板２の桁側端部及び妻側端部に夫々延長天板３を取り付けるための取付孔８、９、１７，１８を予め複数設けてなることを特徴とする。
【０００７】
請求項３は、請求項１又は２に記載の作業台において、天板２の桁側端部の上面に予め設けられる前記取付孔８は桁側幅木１０を取り付けるための取付孔を兼用してなることを特徴とする。
【０００８】
請求項４は、請求項１〜３の何れかに記載の作業台において、延長天板３の桁側端部の上面及び側面には桁側端部に面する他の延長天板３を取り付けるための取付孔２０，２１を予め設けてなることを特徴とする。
【０００９】
請求項５は、請求項４に記載の作業台において、延長天板３の桁側端部の上面に予め設けられる前記取付孔２０は桁側幅木１０を取り付けるための取付孔を兼用してなることを特徴とする。
【００１０】
請求項６は、請求項１〜５の何れかに記載の作業台において、前記延長天板３は、複数の作業台１の天板２の対向する桁側端部間及び又は妻側端部間に掛け渡される天板で、延長天板本体１１と、延長天板本体１１の妻側端部に取り付けられた妻側端板１２とからなり、妻側端板１２は、延長天板本体１１の上面と略面一状の水平材１２ａを有し、水平材１２ａの先端部下面には、天板２の桁側端部上面の前記取付孔８、妻側端部上面の前記取付孔９又は他の延長天板３の延長天板本体１１の桁側端部上面に設けた前記取付孔２０に係入する位置決めピン１４を下向きに突設し、延長天板本体１１の妻側端部には、常時はバネ１６によって、ピン先端部１５ｏが天板２の桁側端部の側面に設けた前記取付孔１７、天板２の妻側端部の側面に設けた前記取付孔１８又は他の延長天板３の延長天板本体１１の桁側端部の側面に設けた前記取付孔２１に係入するように付勢されるロックピン１５を設けていることを特徴とする。
【００１１】
請求項７は、請求項６に記載の作業台において、前記ロックピン１５は、延長天板本体１１に取り付けられたブラケット１９に、延長天板３長手方向にスライド可能に支持される一対の平行なピン本体１５ａ，１５ａと、両ピン本体１５ａ，１５ａの基端部をつなぐ連結軸部１５ｂとによってコ字状に形成されていて、常時はバネ１６によって両ピン本体１５ａ，１５ａの先端部１５ｏ，１５ｏが作業台１の天板２の桁側端部側面及び妻側端部側面に設けた前記取付孔１７，１８又は他の延長天板３（図１の（ａ）に示す延長天板３ａ）の桁側端部の側面に設けた取付孔２１（図５の（ｂ））に係入するように付勢され、このバネ１６の付勢力に抗して連結軸部１５ｂを引っ張ることにより両ピン本体１５ａ，１５ａの先端部１５ｏ，１５ｏを前記取付孔１７，１８，２１から抜き出すようにしたことを特徴とする。
【００１２】
請求項８は、請求項２〜７の何れかに記載の作業台において、前記桁側幅木１０は、天板２の桁側端部上面又は延長天板３の延長天板本体１１の桁側端部上面に起立姿勢に載置される幅木本体２２と、幅木本体２２の外面側に垂直姿勢と下部を外側へ突き出す傾斜姿勢との間で揺動可能に枢着され、バネ２９によって垂直姿勢に付勢されるセット金具２３と、幅木本体２２の下面から下方へ突出し、天板２の桁側端部上面の前記取付孔８又は延長天板本体１１の桁側端部上面の前記取付孔２０に挿入されるようになっている直立用ピン２４とからなることを特徴とする。
【発明の効果】
【００１３】
上記解決手段による発明の効果を、後述する実施形態の参照符号を付して説明すると、請求項１に係る発明によれば、天板２の桁側端部の上面及び側面に、天板２に延長天板３を取り付けるための取付孔８，１７を予め複数設けているから、複数の作業台１の天板２の対向する桁側端部間に延長天板３を架け渡す際には天板の桁側端部に予め設けた取付孔８，１７を使用することにより、延長天板３の掛け渡し作業及びその撤去作業を簡単容易に行うことができる。
【００１４】
請求項２に係る発明によれば、天板２の桁側端部の上面及び側面並びに妻側端部の上面及び側面に、天板２に延長天板３を取り付けるための取付孔８，９，１７，１８を予め複数設けているから、複数の作業台１の天板２の対向する桁側端部間に延長天板３を架け渡す際には天板の桁側端部に予め設けた取付孔８，１７を使用することにより、延長天板３の掛け渡し作業及びその撤去作業を簡単容易に行うことができ、更に複数の作業台１の天板２の対向する妻側端部間に延長天板３を架け渡す際には妻側端部の上面及び側面に予め設けた取付孔９，１８を使用することにより、延長天板３の掛け渡し作業及びその撤去作業を簡単容易に行うことができる。
【００１５】
請求項３に係る発明によれば、天板２の桁側端部の上面に予め設けてある前記取付孔８は桁側幅木１０を取り付けるための取付孔を兼用しているから、天板２の桁側端部に桁側幅木１０を取り付けるにあたっては前記取付孔８を使用することにより、桁側幅木１０を簡単に取り付けることができる。
【００１６】
請求項４に係る発明によれば、延長天板３（３ａ）の桁側端部の上面及び側面には桁側端部に面する他の延長天板３（３ｂ）を取り付けるための取付孔２０，２１を予め設けてなるため、延長天板３（３ａ）の桁側端部に面する他の延長天板３（３ｂ）を取り付けるにあたっては前記取付孔２０，２１を使用することにより、他の延長天板３（３ｂ）を簡単に取り付けることができる。
【００１７】
請求項５に係る発明によれは、延長天板３の桁側端部の上面に予め設けられる前記取付孔２０は桁側幅木１０を取り付けるための取付孔を兼用しているから、延長天板３の桁側端部に桁側幅木１０を取り付けるにあたっては前記取付孔２０，２１を使用することにより、桁側幅木１０を簡単に取り付けることができる。
【００１８】
請求項６に係る発明によれば、延長天板３が、延長天板本体１１と妻側端板１２とからなるもので、妻側端板１２は延長天板本体１１の上面と略面一状の水平材１２ａを有し、水平材１２ａの先端部下面には、天板２桁側端部上面の取付孔８、妻側端部上面の取付孔９又は他の延長天板３の延長天板本体１１の桁側端部上面に設けた取付孔２０に係入する位置決めピン１４を下向きに突設し、延長天板本体１１の妻側端部側面には、常時はバネ１６によって、ピン先端部１５ｏが天板２の桁側端部側面に設けた前記取付孔１７、天板２の妻側端部側面に設けた前記取付孔１８又は他の延長天板３の延長天板本体１１の桁側端部側面に設けた前記取付孔２１に係入するように付勢されるロックピン１５を設けているから、作業台１の天板２に対する延長天板３の掛け渡し作業を位置決めピン１４によって簡単容易に行えると共に、ロックピン１５によって、位置決めピン１４との協働作業によって作業台１と延長天板３との取り付け状態が外れないようロックする作用を発揮する。また、位置決めピン１４は、作業台１と延長天板３の水平方向の位置決めを担当し、ロックピン１５は作業台１と延長天板３との垂直方向の位置決めを担当すると共に、特に屋外で使用する際には、ロックピン１５は風圧等による延長天板３の吹き上げを防止する作用も発揮することになる。
【００１９】
請求項７に記載のように、ロックピン１５は、延長天板本体１１に取り付けられたブラケット１９に、延長天板３長手方向にスライド可能に支持される一対の平行なピン本体１５ａ，１５ａと、両ピン本体１５ａ，１５ａの基端部をつなぐ連結軸部１５ｂとでコ字状に形成されていて、常時はバネ１６によって両ピン本体１５ａ，１５ａの先端部１５ｏ，１５ｏが天板２の桁側端部側面の前記取り付け孔１７及び妻側端部側面の前記取付孔１８又は他の延長天板３の桁側端部側面の前記取付孔２１に係入するように付勢され、このバネ１６の付勢力に抗して連結軸部１５ｂを引っ張ることによって両ピン本体１５ａ，１５ａの先端部１５ｏ，１５ｏを前記取付孔孔１７，１８，２１より抜き出すようになっているから、操作的に簡単で、延長天板本体１１の吹き上げを確実に防止でき、延長天板３の掛け渡し及び撤去作業をより簡単に行うことができる。
【００２０】
請求項８に記載のように、桁側幅木１０は、天板２の桁側端部上面又は延長天板３の延長天板本体１１桁側端部上面に起立姿勢に載置される幅木本体２２と、幅木本体２２の外面側に垂直姿勢と下部を外側へ突き出す傾斜姿勢との間で揺動可能に枢着され、バネ２９で垂直姿勢に付勢されるセット金具２３と、幅木本体２２の下面から下方へ突出し、天板２の桁側端部上面の取付孔８又は延長天板本体１１の桁側端部上面の取付孔２０に挿入される直立用ピン２４とからなるため、天板２の桁側端部上面又は延長天板３の延長天板本体１１の桁側端部上面への桁側幅木１０の取付け及び取外し作業をワンタッチで簡単容易に行うことができると共に、セット金具２３及び直立用ピン２４によって天板２や延長天板３上の定位置で抜け落ちのおそれもない安定した起立姿勢に桁側幅木１０を保持することができる。
【図面の簡単な説明】
【００２１】
【図１】本発明の一実施形態を示すもので、(a) は作業台及び延長天板の使用状態を示す平面図、(b) は正面図である。
【図２】作業台の天板のみを示すもので、(a) は平面図、(b) は正面図、(c) は側面図である。
【図３】(a) は図２の(a) のＡ−Ａ線拡大断面図、(b) は同図のＢ−Ｂ線拡大断面図である。
【図４】(a) は図１のＣ−Ｃ線拡大断面図であり、(b) は同図のＤ−Ｄ線拡大断面図である。
【図５】(a) は延長天板の平面図、(b) は正面図、(c) は裏面図である。
【図６】(a) は図５の(a) の矢印Ｅで示す部分の拡大図、(b) は(a) の側面図、(c) は正面図、(d) は(c) の矢印Ｇで示す部分の拡大図である。
【図７】(a) は図５の(d) の矢印Ｆで示す部分の拡大図、(b) は(a) のＨ−Ｈ線断面図である。
【図８】作業台の天板上面の桁側端部に桁側幅木を設置した状態を示す斜視図である。
【図９】桁側幅木の正面図である。
【図１０】(a) は図９の一部拡大図、(b) は(a) のI −Ｉ線断面図である。
【図１１】桁側幅木のセット金具部分を示す横断平面図である。
【図１２】桁側幅木の取付方法を示すもので、(a) は取付け開始状態の縦断側面図、(b) は取付け途上の縦断側面図、(c) は取付け終了時の縦断側面図である。
【発明を実施するための形態】
【００２２】
以下に本発明の好適な一実施形態を図面に基づいて説明すると、図１の(a) には、本発明に係る、例えば４隅に４つの作業台１・・・を配置し、このうち紙面上下の２つの作業台１，１の天板２，２の桁側端部どうし及び紙面左右の２つの作業台１，１の天板２，２の妻側端部どうしが対向するように所定間隔をおいて配置すると共に、上下の２つの作業台１，１の天板２，２の桁側端部間に３つの延長天板３を並列状態に掛け渡し、また左右の２つの作業台１，１の天板２，２の妻側端部間に１つの延長天板３（３ａ）を掛け渡した状態を示し、また中央部の紙面上下の２つの延長天板３（３ａ）の桁側端部間に３つの延長天板３（３ｂ）を並列状態に掛け渡した状態を示している。なお、作業台１と延長天板３とを図示上で識別するために、前者にあってはその天板２を平滑な平坦面に図示し、延長天板３には多数の滑り止め孔を形成した状態に示しているが、天板２にも後述のように延長天板３と同じように多数の滑り止め孔が形成されている。
【００２３】
各作業台１は、図１の(b) 更には図８から分かるように、天板２の両妻側端部に梯子状の脚体４，４を、回転金具５を介して、図示は省略するが、天板２下面に平行に折り畳んだ状態の閉脚状態と、図１の(b) 及び図８に示すように下広がり状に傾斜した開脚状態との間で開閉可能に設けたもので、天板２と各脚体４との間には途中に屈曲自在なステイ６が介装されている。各脚体４は、図８に示すように、下広がり状に配置された一対の脚柱４ａ，４ａと、両脚柱４ａ，４ａ間に複数段に横架された踏桟４ｂとからなる。  
【００２４】
各作業台１の天板２には、その桁側端部の上面に、図８に示すような桁側幅木７及び図５に示すような延長天板３を取り付けるための取付孔８を予め複数設け、天板２の妻側端部の上面には、延長天板３を取り付けるための取付孔９を予め複数設けている。この実施形態の天板２では、図２の(a) に示すように、天板２の桁側端部の上面には６つの取付孔８を設け、天板２の妻側端部の上面には２つの取付孔９を設けている。また取付孔８は天板２の桁部長手方向に長い長孔、取付孔９は天板２の妻部長手方向に長い長孔となっている。
【００２５】
尚、作業台１の天板２は、図３の(a) ，(b) に示すように、アルミ押出形材よりなる天板本体２ａと、この天板本体２ａの両妻側端部にリベットＲによって取り付け固定されたアルミ押出形材よりなる妻側端部枠２ｂとにより構成され、前記妻側端部の取付孔９は、この端部枠２ｂの上面に穿設されている。天板本体２ａは、図３の(a) に示すように、桁側端部に沿って一体に形成された断面略コ字状の桁側端部枠２ａａを有し、この桁側端部枠２ａａの上面に前記桁側端部の取付孔８が穿設されている。また両桁側端部枠２ａａ，２ａａ間に断面倒Ｔ字状の補強枠部２ａｂが設けてある。また天板本体２ａは２つに分割形成されていて、その分割接合部をＴで示す。また天板本体２ａには桁側端部枠２ａａを除き、その全域に亘って滑り止め用の孔Ｏ（図２の(a) 参照）がバーリング加工によって形成されている。
【００２６】
延長天板３は、図１に示すように、複数の作業台１の天板２の対向する桁側端部間及び又は妻側端部間に掛け渡される天板であって、この延長天板３の詳細な構造を図４〜図７によって以下に説明する。
【００２７】
即ち、延長天板３は、図４の(a) に示す作業台１の天板２の天板本体２ａと同じ断面形状のアルミ押出形材よりなる延長天板本体１１と、この延長天板本体１１の妻側端部に取り付けられた、同じくアルミ押出形材よりなる妻側端板１２とによって構成されている。妻側端板１２は、延長天板本体１１の上面と略面一状の水平材１２ａと、この水平材１２ａの後端から垂下して、延長天板本体１１の妻側端面を被う垂直材１２ｂと、この垂直材１２ｂの下端から後方へ突出して、延長天板本体１１の妻側端部の下面側に支持される支持材１２ｃと、垂直材１２ｂの上端部側から後方へ突出して、延長天板本体１１の妻側端部の上面側に支持される上部支持材１２ｄとからなるもので、水平材１２ａと垂直材１２ｂとの間には補強用斜材１３が介装されている。そして、この妻側端板１２は、垂直材１２ｂを延長天板本体１１の妻側端面に当接させた状態で上面側の支持材１２ｄと下面側の支持材１２ｃとを延長天板本体１１の妻側端部の上下両面側にリベットで固定することにより、延長天板本体１１の妻側端部に取り付けられる。
【００２８】
この妻側端板１２の水平材１２ａには先端部下面の左右両側に、天板２上面の桁側端部の取付孔８又は妻側端部の取付孔９に係入する２つの位置決めピン１４が下向きに突設されている。尚、この位置決めピン１４は、図６の(d) に示すように、ピン上端部を水平材１２ａの先端所要部にカシメ加工することによって取り付けられる。そして、延長天板本体１１の妻側端部には、常時はコイルバネ１６によって、ピン先端部１５ｏが天板２の桁側面（桁側端部枠２ａａの側面）に設けた取付孔であるピン孔１７又は天板２の妻側端部側面（妻側端部枠２ｂの側面）に設けた取付孔であるピン孔１８に係入するように付勢されるロックピン１５が設けられている（図４の(a) ，(b) 参照）。尚、ピン孔１７，１８は長孔である。
【００２９】
上記ロックピン１５は、図４及び図７から分かるように、延長天板本体１１に取り付けられたブラケット１９に、延長天板長手方向にスライド可能に支持されると共に妻側端板１２の垂直材１２ｂをスライド可能に貫通する一対の平行なピン本体１５ａ，１５ａと、両ピン本体１５ａ，１５ａの基端部をつなぐ連結軸部１５ｂとによってコ字状に形成されていて、常時はコイルバネ１６によって両ピン本体１５ａ，１５ａの先端部が作業台１の天板２の妻側端部側にある２つのピン孔１８，１８又は桁側端部側の隣り合う２つのピン孔１７，１７に係入するように付勢され、そうしてコイルバネ１６の付勢力に抗し連結軸部１５ｂを引っ張ることにより両ピン本体１５ａ，１５ａの先端部１５ｏ，１５ｏを前記ピン孔１７，１７又は１８，１８から抜き出すようにしたものである。
【００３０】
従って、図１の（ａ）及び図４の（ａ）に示すように、２つの作業台１，１の天板２，２の対向する桁側端部間に延長天板３を掛け渡すには、延長天板３の一方の妻側端板１２に設けられた位置決めピン１４，１４を、一方の作業台１の天板２の桁側端部の上面にある隣り合う２つの取付孔８，８に係入させると共に、ロックピン１５の先端部１５ｏ，１５ｏを、同天板２の桁側端部の側面にある隣り合う２つのピン孔１７，１７に係入させればよく、また延長天板３の他方の妻側端板１２の位置決めピン１４，１４を、他方の作業台１の天板２の桁側端部の上面の２つの取付孔８，８に係入させると共に、ロックピン１５の先端部１５ｏ，１５ｏを、同天板２の桁側端部の側面の隣り合う２つのピン孔１７，１７に係入させればよい。
【００３１】
また、図１の（ａ）及び図４の（ｂ）に示すように、２つの作業台１，１の天板２，２の対向する妻側端部間に延長天板３を掛け渡すには、延長天板３の一方の妻側端板１２に設けられた位置決めピン１４，１４を、一方の作業台１の天板２の妻側端部の上面にある隣り合う２つの取付孔９，９に係入させると共に、ロックピン１５の先端部１５ｏ，１５ｏを、同天板２の妻側端部の側面にある隣り合う２つのピン孔１８，１８に係入させ、また延長天板３の他方の妻側端板１２の位置決めピン１４，１４を、他方の作業台１の天板２の妻側端部の上面の２つの取付孔９，９に係入させると共に、ロックピン１５の先端部１５ｏ，１５ｏを、同天板２の桁側端部の側面の隣り合う２つのピン孔１８，１８に係入させればよい。このとき、取付孔８，９及びピン孔１７，１８は夫々長孔であるから、位置決めピン１４及びロックピン１５は多少の位置ずれがあっても、取付孔８，９及びピン孔１７，１８への係入が可能となる。
【００３２】
上記のようにして延長天板３を複数の作業台１の天板２の対向する桁側端部間及び又は妻側端部間に簡単容易に取り付けることができ、この際、ロックピン１５によって、位置決めピン１４との協働作業によって作業台１と延長天板３との取り付け状態が外れないようロックする作用を発揮し、また、位置決めピン１４は、作業台１と延長天板３の水平方向の位置決めを担当し、ロックピン１５は作業台１と延長天板３との垂直方向の位置決めを担当すると共に、特に屋外で使用する際には、ロックピン１５は風圧等による延長天板３の吹き上げを防止する作用も発揮することになる。
【００３３】
また図１の（ａ）、図５〜図７に示すように、延長天板３（３ａ）の桁側端部に延長天板３（３ｂ）の妻側端部を取り付けるために、延長天板３の延長天板本体１１の桁側端部の上面に、前記位置決めピン１４が係入する取付孔２０が複数設けられ、また図５の（ｂ）に示すように、同延長天板本体１１の桁側端部の側面には前記ロックピン１５の先端部１５ｏが係入するピン孔２１が複数設けられている。尚、延長天板３は、図１を参照すれば分かるように、縦横の寸法が作業台１の天板２と同じに形成されており、しかして取付孔２０は天板２の桁側端部上面の取付孔８と対応する位置に設けられ、ピン孔２１は天板２の桁側端部側面のピン孔１７と対応する位置に設けられている。また取付孔２０及びピン孔２１は、天板２の取付孔８及びピン孔１７と同じく長孔となっている。
【００３４】
従って、図１の(a) に示すように、２つの作業台１，１間に掛け渡した延長天板３の桁側端部と、同じ様に２つの作業台１，１間に掛け渡した延長天板３（３ａ）の桁側端部との間に、３つの延長天板３（３ｂ），３（３ｂ），３（３ｂ）を並列状態に架け渡す時は、延長天板３（３ｂ）の一方の妻側端板１２にある位置決めピン１４，１４を、既に掛け渡されている延長天板３（３ａ）の延長天板本体１１の桁側端部にある隣り合う２つの取付孔２０，２０に係入させると共に、ロックピン１５の先端部１５ｏ，１５ｏを、延長天板本体１１の桁側端部側面にある隣り合う２つのピン孔２１，２１に係入させればよく、また延長天板３（３ｂ）の他方の妻側端板１２の位置決めピン１４，１４を、他方の延長天板３（３ａ）の延長天板本体１１の桁側側面の２つ取付孔２０，２０に係入させると共に、ロックピン１５の先端部１５ｏ，１５ｏを、同天板２の桁側端部側面の隣り合う２つのピン孔２１，２１に係入させればよい。
【００３５】
上記のように、延長天板３は、延長天板本体１１と、延長天板本体１１の妻側端部に取り付けられた妻側端板１２とからなり、妻側端板１２は、延長天板本体１１の上面と略面一状の水平材１２ａを有し、水平材１２ａの先端部下面には、天板２上面の桁側端部の取付孔８、妻側端部の取付孔９又は他の延長天板３の延長天板本体１１の桁側端部に設けた取付孔２０に係入する複数の位置決めピン１４を下向きに突設し、延長天板本体１１の妻側端部には、常時はバネ１６によって、ピン先端部１５ｏが天板２の桁側側面に設けたピン孔１７、天板２の妻側端面に設けたピン孔１８又は他の延長天板３の延長天板本体１１の桁側側面に設けたピン孔２１に係入するように付勢されるロックピン１５を設けているから、作業台１の天板２に対する延長天板３の掛け渡し作業を位置決めピン１４によって簡単容易に行えると共に、ロックピン１５によって、位置決めピン１４との協働作業によって作業台１と延長天板３との取り付け状態が外れないようロックする作用を発揮すると共に、特に屋外で使用する際には、ロックピン１５は風圧等による延長天板３の吹き上げを防止する作用も発揮することになる。
【００３６】
また、上記ロックピン１５は、延長天板本体１１に取り付けられたブラケット１９に、延長天板３長手方向にスライド可能に支持される一対の平行なピン本体１５ａ，１５ａと、両ピン本体１５ａ，１５ａの基端部をつなぐ連結軸部１５ｂとによってコ字状に形成されていて、常時はバネ１６によって両ピン本体ピン本体１５ａ，１５ａの先端部１５ｏ，１５ｏが作業台１の天板２の前記ピン孔１７，１８又は他の延長天板３のピン孔２１に係入するように付勢され、このバネ１６の付勢力に抗して連結軸部１５ｂを引っ張ることにより両ピン本体１５ａ，１５ａの先端部１５ｏ，１５ｏを前記ピン孔１７，１８，２１から抜き出すようになっているから、操作的に簡単で、延長天板本体１１を強固に連結することができ、延長天板３の掛け渡し及び撤去作業をより簡単に行うことができる。尚、この実施形態では、ロックピン１５を一対の平行なピン本体１５ａ，１５ａと連結軸部１５ｂとでコ字状に形成しているが、単軸のピンからなるものでもよい。但し、この実施形態のようなコ字状に形成すれば、２つのピン本体１５ａ，１５ａによって延長天板本体１１の連結作業を確実に行うことでき、且つ操作が簡単容易である。
【００３７】
図８は、上記作業台１の天板２の桁側端部の上面に桁側幅木１０を設置した状態を示す。この桁側幅木１０は、天板２の桁側端部の上面に起立姿勢に載置される幅木本体２２と、この幅木本体２２の外面側に垂直姿勢と下部を外側へ突き出す傾斜姿勢との間で揺動可能に枢着され、バネ２９によって垂直姿勢に付勢されるセット金具２３と、幅木本体２２の下面から下方へ突出し、天板２の桁側端部の上面に設けてある前述の取付孔８に挿入されるようになっている直立用ピン２４とからなる。この桁側幅木１０の詳細について以下に説明する。
【００３８】
幅木本体２２は、図１０の(a) ，(b) に示すように、側板部２２ａと、その上下端より外側へ延出した上下板部２２ｂ，２２ｃと、これら上下板部２２ｂ，２２ｃより延出した外向きの縁片部２２ｄ，２２ｅとを有する。そして、この幅木本体２２の長手方向両端位置と中間２箇所には、帯板状の補強部材２５が上下の縁片部２２ｄ，２２ｅ間に溶接固着され、また側板部２２ａの外面側には、セット金具２３を取付けるための平面視コ字形のブラケット２６が左右両側片２６ａ，２６ａを外側へ突出するようにで溶接固着されている。
【００３９】
セット金具２３は、図１０の(a) ，(b) 及び図１１に示すように、縦長矩形をなす鋼板等の一枚板よりなり、下端側には板材下端部を側面視Ｖ字形に内側へ鋭角に折り曲げて形成した係止部２７を有すると共に、やや上部寄り位置の左右両側部に内向きに突出した突片２８，２８を備えており、これら突片２８，２８と幅木本体２２のコ字状ブラケット２６の左右両側片２６ａ，２６ａとの重合部分に貫設した水平ピン３１により、幅木本体２２の下側縁片部２２ｅに当接する垂直姿勢と、下部を外側へ突き出す傾斜姿勢との間で揺動可能に枢着され、且つ水平ピン３１に嵌装したバネ２９の付勢力で常時は垂直姿勢を保持するように設定されている。尚、セット金具２３の下端部の係止部２７は、内側斜め上方へ向かう傾斜面２７ａを有する。またセット金具２３は、垂直姿勢において幅木本体２２よりも下方へ張出し、且つ係止部２７の先端と幅木本体２２の下板部２２ｃとの間に、図１０の(a) ，(b) の仮想線で示す作業台１の天板２（又は延長天板３の延長天板本体１１）の側縁部３０を嵌合させ得る距離を持つように寸法設定されている。
【００４０】
上記構成の桁側幅木１０を作業台１の天板２（又は延長天板本体１１）に取り付けるには、図１２の(a) に示すように幅木本体２２を天板２（又は延長天板本体１１）の桁側端部の上方に位置させ、各直立用ピン２４の先端を天板２（又は延長天板本体１１）上面の桁側端部に予め設けた取付孔８（又は取付孔２０）に合わせ、そのまま押し下げて直立用ピン２４を取付孔８（又は取付孔２０）に挿嵌させればよい。この時、垂直姿勢であったセット金具２３は、下端部の内側斜め上方へ向かう傾斜面２７ａが天板２（又は延長天板本体１１）の側縁部３０に接触するから、図１２の(b) に示すように、傾斜誘導作用により自動的にバネ２９の付勢力に抗して外側へ傾動変位し、係止部２７の先端が天板２（又は延長天板本体１１）の側縁部３０の外側面に摺接する形で幅木本体２２と一体に下降することになる。そして、図１２の(c) に示すように、桁側幅木１０が天板２（又は延長天板３）上に載った段階では、セット金具２３の係止部２７の先端が天板２（又は延長天板本体１１）の側縁部３０よりも下位にくるから、セット金具２３はバネ２９の付勢力により垂直姿勢に戻り、係止部２７が天板２（又は延長天板本体１１）の側縁部３０の下側へ入り込み、桁側幅木１０の取付けが完了する。
【００４１】
上記のように桁側幅木１０は、天板２上面の桁側端部又は延長天板３の延長天板本体１１上面の桁側端部に起立姿勢に載置される幅木本体２２と、幅木本体２２の外面側に垂直姿勢と下部を外側へ突き出す傾斜姿勢との間で揺動可能に枢着され、バネ２９によって垂直姿勢に付勢されるセット金具２３と、幅木本体２２の下面から下方へ突出し、天板２上面の桁側端部の取付孔８又は延長天板本体１１上面の桁側端部の取付孔２０に挿入されるようになっている直立用ピン２４とからなるため、天板２上面の桁側端部又は延長天板３の延長天板本体１１上面の桁側端部への桁側幅木１０の取付け及び取外し作業をワンタッチで簡単容易に行うことができると共に、セット金具２３及び直立用ピン２４によって天板２や延長天板３上の定位置で抜け落ちのおそれもない安定した起立姿勢に桁側幅木１０を保持することができる。
【符号の説明】
【００４２】
１            作業台
２            天板
３            延長天板
８            天板の桁側端部の取付孔
９            天板の妻側端部の取付孔
１０          桁側幅木
１１          延長天板本体
１２          妻側端板
１４          位置決めピン
１５          ロックピン
１７，１８    天板側のピン孔
２０          延長天板側の取付孔
２１          延長天板側の取付孔
【図１】
2011084943.tif 000003
【図２】
2011084943.tif 000004
【図３】
2011084943.tif 000005
【図４】
2011084943.tif 000006
【図５】
2011084943.tif 000007
【図６】
2011084943.tif 000008
【図７】
2011084943.tif 000009
【図８】
2011084943.tif 000010
【図９】
2011084943.tif 000011
【図１０】
2011084943.tif 000012
【図１１】
2011084943.tif 000013
【図１２】
2011084943.tif 000014